(57)【要約】      （修正有）【課題】棒状化粧料は、眉毛を細く描くためには先端を削って鋭利に尖らして描いており、直ぐに磨り減ってしまい、棒状化粧料を押し出すと共に尖らす必要があり、液体化粧料を用いるものは、一定量の液体化粧料を安定して抽出するために構造が複雑化していた。【解決手段】有底楕円筒状のアイブロウペンであって、アイブロウペン本体に挿通させる基端挿通部２ａをラバー装着部２の装着部基部２ｂに突設させると共に化粧料装着部２ｃを延設させ、ラバー装着部２の化粧料装着部２ｃに装着する刀状化粧料３は断面が略細い楕円状に形成すると共に先細りさせた刀先状に形成し、ラバー装着部２の化粧料装着部２ｃは刀状化粧料３を挿入させる化粧料基部挿入部２ｄを形成し、化粧料基部挿入部２ｄに刀状化粧料３を挿入させる背側挿入部２ｅを延設し、背側挿入部２ｅに心棒４を内装した。【選択図】図２
2007190239.tif 000002
【特許請求の範囲】
【請求項１】
有底楕円筒状のアイブロウペン本体の先端に挿通させキャップで閉蓋するアイブロウペンであって、前記アイブロウペン本体の先端に挿通させる短楕円柱状の基端挿通部をラバー装着部の楕円柱状の装着部基部に突設させると共に先端側に化粧料装着部を延設させ、該ラバー装着部の化粧料装着部に着脱可能に装着する刀状化粧料は背側を厚く前側を鋭利状とした断面が略細い楕円状に形成すると共に先端辺の巾方向の両側を先細りさせた刀先状に形成し、前記ラバー装着部の化粧料装着部は前記刀状化粧料の基部を挿入させる楕円筒状の化粧料基部挿入部を装着部基部側に形成し、該化粧料基部挿入部の背側に前記刀状化粧料の背側を挿入させる樋状の背側挿入部を延設し、該背側挿入部の長手方向に針金状の心棒を内装し、前記化粧料装着部に前記刀状化粧料の先端と先端辺の前側を露出させて装着したことを特徴とするアイブロウペン。
【請求項２】
前記ラバー装着部の装着部基部の軸心と該装着部基部に突設した短楕円柱状の基端挿通部の軸心に角度を設けたことを特徴とする請求項１に記載のアイブロウペン。
【発明の詳細な説明】
【技術分野】
【０００１】
本発明は、棒状に形成されたアイブロウペンに関するものであり、更に詳細には、刀状化粧料をラバー装着部に着脱可能に装着して一本一本の眉毛を細くはっきりと描くためのアイブロウペンに関するものである。
【背景技術】
【０００２】
従来、この種のアイブロウペンの固形状の物は、鉛筆状に形成されており、中心に挿通された棒状化粧料で眉毛を描いていたが、一本一本の眉毛を細く描くためには先端を削って鋭利に尖らして描いており、直ぐに磨り減ってしまい、その都度先端側に棒状化粧料を押し出すと共に尖らす必要があり、液体化粧料を用いるものは、一定量の液体化粧料を安定して抽出するために構造が複雑化していた。
【０００３】
例えば、先に開示された、先端に棒状化粧料１０を保持するネジ棒２を内蔵する貫通穴を設けた先筒１と、この先筒１の後部軸方向に回転自在に係合され、前記ネジ棒２の外周面のオネジ２９と螺合する筒体３とを備え、この筒体３と前記先筒１との相対回転により、前記ネジ棒２に保持された棒状化粧料１０が先筒１先端から出没する棒状化粧料繰り出し式容器において、前記ネジ棒２の外周面のオネジ２９に螺合する点状に隆起した突起３５、３６を、内周面円周上に複数箇所設けた、前記筒体３を有するもの（特許文献１参照）や、塗布具本体１０の先端に塗布部２０を備えると共に、タンク３０内に収容されたアイブロウ液を押し出し機構６０により塗布部１０に供給するアイブロウ用ぺン型塗布具であって、上記塗布部１０は、ブラシ体１１と、該ブラシ体外周を覆う櫛体１２とを備えたことを特徴とするアイブロウ用ペン型塗布具。好ましくは、櫛体１２の先端は、ブラシ体１１の先端より０．５〜３．０ｍｍ長く設定することが望ましいもの（特許文献２参照）や、アプリケータはアプリケータ要素を備え、前記アプリケータ要素が：物質を保持するのに適したキャビティを間に形成した少なくとも二つの壁と；長手軸線に沿って延び、前記キャビティに入った物質を分配して塗るために通すことができる、少なくとも一つのスロットと；少なくとも一つの開口部とを備え、キャビティが外部に開き、前記開口部が、スロットに対して横方向に延びる平面上の幅の少なくとも一部分を占め、そのスロットルがスロットに対して横方向に延びる平面上のスロットの幅よりも大きいもの（特許文献３参照）や、２つの捩じり合わされた枝で作られたコアで構成されていない支持体と、軸線に沿って延びる少なくとも１列の突起要素とを備える、睫毛及び／又は眉毛を梳くため及び／又は化粧品をそれらに塗布するための装置であって、この列が、少なくとも第１の群（１５）の実質的に一定の相互間隔である少なくとも３つの連続する突起要素（１２ａ、１２ｂ）と、第１の群の外側の第４の突起要素（１２ａ）とを備え、第４の突起要素が、第１の群の３つの突起要素間の間隔（ｅ）より大きい距離（ｄ）にわたり列の軸線に沿って延びるギャップ（１６）だけ、第１の群（１５）から間隔を置いて配置されているもの（特許文献４参照）等がある。
【特許文献１】特開２００１−２８６３３７号公報
【特許文献２】特開２００３−１２５８４３号公報
【特許文献３】特開２００４−２２３２６６号公報
【特許文献４】特開２００３−２５９９１４号公報
【発明の開示】
【発明が解決しようとする課題】
【０００４】
然し乍ら、特許文献１に記載のものは、棒状化粧品１０を外周面のオネジ２９を螺設したネジ棒２で押し出すものであるが、使用により摩耗する棒状化粧品１０の先端を鋭利に尖らす必要があるもので、特許文献２に記載のものは、液状化粧品であり、塗布具本体１０の先端に塗布部２０を備えタンク３０内に収容されたアイブロウ液を押し出し機構６０により塗布部１０に供給するもので、構造が複雑であり、ブラシ体１１で液状化粧品を眉毛に塗布するもので、眉毛を細く描くアイブロウペンには使用できないものであり、更に、特許文献３に記載のものも、液状化粧品を塗布するものであり、Ｖ字状の溝に液状化粧品を充填して塗布するものであるが、眉毛を細く描くことには不向きなものであり、特許文献４に記載のものも、液状化粧品を睫毛及び／又は眉毛に塗布するための装置であって、液状化粧品を塗布することは可能であっても、一本一本の眉毛を細く描くことはできないものである。
【課題を解決するための手段】
【０００５】
本発明は、前述の課題に鑑み、鋭意研鑽の結果、有底楕円筒状のアイブロウペン本体の先端に挿通させキャップで閉蓋するアイブロウペンであって、アイブロウペン本体の先端に挿通させる短楕円柱状の基端挿通部をラバー装着部の楕円柱状の装着部基部に突設させると共に先端側に化粧料装着部を延設させ、ラバー装着部の化粧料装着部に着脱可能に装着する刀状化粧料は背側を厚く前側を鋭利状とした断面が略細い楕円状に形成すると共に先端辺の巾方向の両側を先細りさせた刀先状に形成し、ラバー装着部の化粧料装着部は刀状化粧料の基部を挿入させる楕円筒状の化粧料基部挿入部を装着部基部側に形成し、化粧料基部挿入部の背側に刀状化粧料の背側を挿入させる樋状の背側挿入部を延設し、背側挿入部の長手方向に針金状の心棒を内装し、化粧料装着部に刀状化粧料の先端と先端辺の前側を露出させて装着したもので、更に、ラバー装着部の装着部基部の軸心と該装着部基部に突設した短楕円柱状の基端挿通部の軸心に角度を設けたものである。
【発明の効果】
【０００６】
本発明のアイブロウペンは、刀状化粧料を背側を厚く前側を鋭利状の断面が略細い楕円状に形成すると共に先端辺の巾方向の両側を先細りさせた刀先状に形成したことにより、鋭利な刃先状にした先端と前側の長い範囲とで眉毛を描くことができ、従来の鉛筆状のものより長時間にわたって描くことを可能とすると共に、ラバー装着部の化粧料装着部に刀状化粧料を着脱可能に装着できることから、刀状化粧料の交換が容易で、更に、ラバー装着部の長手方向に針金状の心棒を内装しているために適宜な弾性を付与することでき、且つ、ラバー装着部の装着部基部の軸心と短楕円柱状の基端挿通部の軸心に角度を設けたことにより眉毛を描くことが容易なもので画期的で実用性の高い発明である。
【発明を実施するための最良の形態】
【０００７】
以下、本発明のアイブロウペンの実施例の図面によって具体的に説明すると、図１は本発明のアイブロウペンの実施例を説明するための縦断面説明図であり、図２は本発明のアイブロウペンの実施例の要部を説明する要部断面図であり、図３は本発明のアイブロウペンの実施例の刀状化粧料の側面図であり、図４は本発明のアイブロウペンの実施例の刀状化粧料のＡ−Ａ線断面図である。
【０００８】
本発明は、棒状に形成されたアイブロウペンに関するものであり、更に詳細には、刀状化粧料３をラバー装着部２ｃに着脱可能に装着して一本一本の眉毛を細く描くためのアイブロウペンに関するものであり、請求項１に記載のアイブロウペンは、有底楕円筒状のアイブロウペン本体１の先端に挿通させキャップ１ａで閉蓋するアイブロウペンであって、前記アイブロウペン本体１の先端に挿通させる短楕円柱状の基端挿通部２ａをラバー装着部２の楕円柱状の装着部基部２ｂに突設させると共に先端側に化粧料装着部２ｃを延設させ、該ラバー装着部２の化粧料装着部２ｃに着脱可能に装着する刀状化粧料３は背側３ａを厚く前側３ｂを鋭利状とした断面が略細い楕円状に形成すると共に先端辺の巾方向の両側を先細りさせた刀先状に形成し、前記ラバー装着部２の化粧料装着部２ｃは前記刀状化粧料３の基部を挿入させる楕円筒状の化粧料基部挿入部２ｄを装着部基部２ｂ側に形成し、該化粧料基部挿入部２ｄの背側に前記刀状化粧料３の背側３ａを挿入させる樋状の背側挿入部２ｅを延設し、該背側挿入部２ｅの長手方向に針金状の心棒４を内装し、前記化粧料装着部２ｃに前記刀状化粧料３の先端と先端辺の前側３ｂを露出させて装着したことを特徴とするものである。
【０００９】
更に、請求項２に記載のアイブロウペンは、請求項１に記載のアイブロウペンにおいて、前記ラバー装着部２の装着部基部２ｂの軸心と該装着部基部２ｂに突設した短楕円柱状の基端挿通部２ａの軸心に角度を設けたことを特徴とするものである。
【実施例】
【００１０】
即ち、本発明のアイブロウペンは、図１に図示する如く、楕円筒状のアイブロウペン本体１と閉蓋するためのキャップ１ａとラバー装着部２と刀状化粧料３とから成るものである。
【００１１】
そして、アイブロウペン本体１は、有底楕円筒状のもので、先端の開口部には後述するラバー装着部２の装着部基部２ｂに突設した短楕円柱状の基端挿通部２ａを挿通させるとともに、キャップ１ａを閉蓋するものである。
【００１２】
次に、刀状化粧料３は図３及び図４に図示する如く、断面が略細い楕円状のもので、背側３ａを厚く前側３ｂを鋭利状に形成すると共に、先端辺の巾方向の両側を先細りさせた刃物の刀先状に形成したものである。
【００１３】
次いで、ラバー装着部２はラバー等の適宜な柔軟性を有する素材で形成されるもので、装着部基部２ｂは楕円柱状に形成し、該装着部基部２ｂの先端側には刀状化粧料３を装着させる化粧料装着部２ｃを延設させ、基端側には短楕円柱状の基端挿通部２ａを突設しているものである。
【００１４】
更に、化粧料装着部２ｃは前記刀状化粧料３の基部を挿入させる楕円筒状の化粧料基部挿入部２ｄを形成すると共に、化粧料基部挿入部２ｄの背側に刀状化粧料３の背側３ａを挿入させる樋状の背側挿入部２ｅを延設しているものである。
【００１５】
更には、背側挿入部２ｅの長手方向には針金状の心棒４を内装しており、ラバー装着部２の材料特性の柔軟性を適度に補正するもので、心棒４は金属製のものでも合成樹脂製のものでも構わないもので、インサート成形しても長手方向に凹溝を設けて内装しても構わないものである。
【００１６】
そして、刀状化粧料３はラバー装着部２の化粧料装着部２ｃに着脱可能に装着するもので、使用により刀状化粧料３の先端及び前側３ｂが摩耗すると交換を自在としているものである。
【００１７】
更には、ラバー装着部２の化粧料装着部２ｃに刀状化粧料３を装着したとき、刀状化粧料３の先端と先端辺の前側３ｂをラバー装着部２の化粧料装着部２ｃより露出させた状態で装着しているものである。
【００１８】
更に、本発明のアイブロウペンは、ラバー装着部２の装着部基部２ｂの軸心と、該装着部基部２ｂから突設したアイブロウペン本体１の先端開口に挿通させる基端挿通部２ａの軸心とに図２に図示する如く角度を設けているもので、刀状化粧料３による眉毛の筆記を容易としているものである。
【産業上の利用可能性】
【００１９】
本発明は繊細な眉毛の一本一本を細くはっきりと描け、且つ、経時的に使用することを可能とすると共に、刀状化粧料の交換が容易なアイブロウペンを提供するものである。
【図面の簡単な説明】
【００２０】
【図１】図１は本発明のアイブロウペンの実施例を説明するための縦断面説明図である。
【図２】図２は本発明のアイブロウペンの実施例の要部を説明する要部断面図である。
【図３】図３は本発明のアイブロウペンの実施例の刀状化粧料の側面図である。
【図４】図４は本発明のアイブロウペンの実施例の刀状化粧料のＡ−Ａ線断面図である。
【符号の説明】
【００２１】
１      アイブロウペン本体
１ａ    キャップ
２      ラバー装着部
２ａ    基端挿通部
２ｂ    装着部基部
２ｃ    化粧料装着部
２ｄ    化粧料基部挿入部
２ｅ    背側挿入部
３      刀状化粧料
３ａ    背側
３ｂ    前側
４      心棒
【図１】
2007190239.tif 000003
【図２】
2007190239.tif 000004
【図３】
2007190239.tif 000005
【図４】
2007190239.tif 000006